(57)【特許請求の範囲】
【請求項１】
開口部（２１ｂ、２１ｃ、２１ｄ）を有するケース（２１）内に配置され、板状に形成され、かつ変位によって前記開口部を開閉するドア基盤（２５１、２５２）と、
前記ケース内に配置され、前記ドア基盤のうち前記開口部側に沿うように配置されて、かつ前記ドア基盤が前記開口部を閉じた状態で前記開口部を密閉するフィルム（２５４、２５５）と、
前記ドア基盤のうち板面方向の端部（Ｚ１、Ｚ２）から前記開口部側に突起するように形成されている突起部（３０ａ〜３０ｄ）と、を備え、
前記フィルムは、前記ドア基盤のうち前記開口部側から前記突起部に巻き付けられて前記ドア基盤のうち前記開口部の反対側に折り曲がっていることを特徴とするドア。
【請求項２】
回転自在に支持されている回転軸（２５ａ）と、
前記回転軸を中心とする円周方向を前記板面方向とする第１、第２のドア基盤（２５１、２５２）と、
前記第１、第２のドア基盤のそれぞれに配置されている前記フィルムとしての第１、第２のフィルム（２５４、２５５）と、を備え、
前記第１、第２のドア基盤のうち一方のドア基盤は、他方のドア基盤に対して前記円周方向に配置されており、
前記第１、第２のドア基盤の間に形成されているドア開口部（２５３、２５６）を備え、
前記第１、第２のドア基盤、前記第１、第２のフィルム、および前記ドア開口部が前記回転軸の回転に伴って回転し、
前記第１、第２のドア基盤のうちいずれか一方のドア基盤が前記開口部を閉じたとき、前記第１、第２のフィルムのうち前記一方のドア基盤に配置されているフィルムが前記開口部を密閉するようになっており、
前記ドア開口部が前記開口部に連通した状態で、前記開口部を開けるようになっていることを特徴とする請求項１に記載のドア。
【請求項３】
前記ケースには、前記第１、第２のドア基盤に対して前記回転軸の径方向外側に配置されている複数の前記開口部（２１ｂ、２１ｃ、２１ｄ）が設けられており、
前記第１、第２のドア基盤のうちいずれか一方のドア基盤が前記複数の開口部のうちいずれかの開口部を閉じた状態で、前記第１、第２のフィルムのうち前記一方のドア基盤に配置されているフィルムが前記いずれかの開口部を密閉するようになっていることを特徴とする請求項２に記載のドア。
【請求項４】
前記ドア基盤のうち円周方向一方側の端部（Ｚ１）から前記開口部側に突起するように形成されている前記突起部としての第１の突起部（３０ａ、３０ｃ）を備え、
前記フィルムは、前記第１の突起部に巻き付けられて前記ドア基盤のうち前記開口部の反対側に折り曲がっており、
前記フィルムにおいて前記ドア基盤のうち前記開口部側から前記開口部の反対側に折り曲がることが開始される位置を第１の曲がり開始点（Ｙ１）とし、
前記ドア基盤のうち任意の基準位置（Ｋ）および前記第１の曲がり開始点の間で前記フィルムのうち前記開口部側に沿うように測られる長さを第１長さ（Ｌ１）とし、
前記ドア基盤のうち前記基準位置および前記ドア基盤のうち前記円周方向一方側の端部（Ｚ１）の間で前記ドア基盤のうち前記開口部側に沿って測られる長さを第２長さ（ＬＡ）とし、
前記ドア基盤のうち前記円周方向一方側の端部（Ｚ１）および前記第１の突起部の先端側（Ｚ３）の間で、前記第１の突起部の円周方向他方側の側面（５０ａ）に沿って測られる長さを第３長さ（Ｊ１ａ）とし、
前記第２長さ（ＬＡ）と前記第３長さ（Ｊ１ａ）とを加算した長さ（ＬＡ＋Ｊ１ａ）が前記第１長さ（Ｌ１）と同一になるように前記第１の突起部が形成されていることを特徴とする請求項２または３に記載のドア。
【請求項５】
前記第１の突起部（３０ａ、３０ｃ）のうち前記円周方向他方側（３１ａ）は、その断面が前記円周方向一方側に凸となる断面円弧状に形成されていることを特徴とする請求項４に記載のドア。
【請求項６】
前記第１の突起部（３０ａ、３０ｃ）のうち前記円周方向他方側（３２ａ）は、その断面が前記円周方向の他方側に凸となる断面円弧状に形成されていることを特徴とする請求項４または５に記載のドア。
【請求項７】
前記ドア基盤のうち円周方向他方側の端部（Ｚ２）から前記開口部側に突起するように形成されている前記突起部としての第２の突起部（３０ｂ、３０ｄ）を備え、
前記フィルムは、前記第２の突起部に巻き付けられて前記ドア基盤のうち前記開口部の反対側に折り曲がっており、
前記フィルムにおいて前記ドア基盤のうち前記開口部側から前記開口部の反対側に折り曲がることが開始される位置を第２の曲がり開始点（Ｙ２）とし、
前記ドア基盤のうち任意の基準位置（Ｋ）および前記第２の曲がり開始点の間で前記フィルムのうち前記開口部側に沿うように測られる長さを第４長さ（Ｌ３）とし、
前記ドア基盤のうち前記基準位置および前記ドア基盤のうち前記円周方向他方側の端部（Ｚ２）の間で前記ドア基盤のうち前記開口部側に沿って測られる長さを第５長さ（ＬＢ）とし、
前記ドア基盤のうち前記円周方向他方側の端部（Ｚ２）および前記第２の突起部の先端側（Ｚ４）の間で、前記第２の突起部の円周方向一方側の側面（５０ｂ）に沿って測られる長さを第６長さ（Ｊ１ｂ）とし、
前記第５長さ（ＬＢ）と前記第６長さ（Ｊ１ｂ）とを加算した長さ（ＬＢ＋Ｊ１ｂ）が前記第４長さ（Ｌ３）と同一になるように前記第２の突起部が形成されていることを特徴とする請求項２ないし６のいずれか１つに記載のドア。
【請求項８】
前記第２の突起部（３０ｂ、３０ｄ）のうち前記ドア基盤の円周方向一端側（３１ｃ）は、その断面が前記円周方向他方側に凸となる断面円弧状に形成されていることを特徴とする請求項７に記載のドア。
【請求項９】
前記第２の突起部（３０ｂ、３０ｄ）のうち前記ドア基盤の円周方向の一方側（３２ｂ）は、その断面が前記円周方向一方側に凸となる断面円弧状に形成されていることを特徴とする請求項７または８に記載のドア。
【請求項１０】
前記突起部は、前記開口部側で、かつ前記ドア基盤の前記板面方向に対する直交方向に、前記ドア基盤の板面方向の端部（Ｚ１、Ｚ２）から突起するように形成されていることを特徴とする請求項１ないし９のいずれか１つに記載のドア。
【請求項１１】
請求項１ないし１０のいずれか１つに記載のドア（２５）を備え、
前記ケースの前記開口部は、室内に空気を吹き出す吹出開口部（２１ｂ、２１ｃ、２１ｄ）であり、
前記ドア基盤が前記吹出開口部を開けた状態で前記吹出開口部から前記室内に吹き出される空気によって前記室内を空調することを特徴とする空調装置。
【発明の詳細な説明】
【技術分野】
【０００１】
本発明は、ドア、およびこれを用いた空調装置に関するものである。
【背景技術】
【０００２】
従来、車両用空調装置において、回転軸を中心とする円周方向に延びる第１ドア基盤と、第１ドア基盤に対して円周方向に設けられて回転軸を中心とする円周方向に延びる第２ドア基盤と、第１、第２のドア基盤の間に設けられたドア開口部とを有するロータリドアを備えたものがある（例えば、特許文献１参照）。
【０００３】
ケースには、フェイス吹出開口部、デフロスタ吹出開口部、およびフット吹出開口部が設けられている。フェイス吹出開口部、デフロスタ吹出開口部、およびフット吹出開口部は、ロータリドアに対して回転軸を中心とする径方向外側に配置されている。第１、第２のドア基盤に対して径方向外側には、第１、第２のフィルムが配置されている。
【０００４】
ドア開口部がフェイス吹出開口部、デフロスタ吹出開口部、およびフット吹出開口部のうちいずれか１つの吹出開口部に連通した状態で、ケース内からドア開口部および前記１つの吹出開口部を通して車室内に空気を吹き出す。フェイス吹出開口部、デフロスタ吹出開口部、およびフット吹出開口部のうちいずれか１つの吹出開口部を第１、第２のドア基盤のうちいずれか一方のドア基盤が閉じたとき、前記一方のドア基盤に配置されるフィルムが前記いずれか１つの吹出開口部を密閉することになる。
【先行技術文献】
【特許文献】
【０００５】
【特許文献１】特開２００９−２１４８６９号公報
【発明の概要】
【発明が解決しようとする課題】
【０００６】
上記車両用空調装置では、ロータリドアの回転に伴ってフィルムの円周方向一方側の端部がケースの内壁に当たると、フィルムからケースに加わる力の変動が生じる。このため、フィルムの円周方向一方側の端部とケースの内壁との間の摺動によって摺動音が発生したり、或いは、摺動音に変動が起こる場合がある。
【０００７】
そこで、本発明者は、摺動音およびその変動を緩和するために、図１４に示すように、フィルム１をドア基盤２の径方向外側からドア基盤２の円周方向端部に巻き付けてドア基盤２の径方向内側に折り曲げることにより、フィルム１の円周方向一方側の端部１ｃをドア基盤２の径方向内側に配置することを検討した。
【０００８】
ここで、フィルム１の径方向外側１ａ（図１５参照）においてドア基盤２の径方向外側から径方向内側に折り曲がることが開始される位置を曲がり開始点Ｙとし、ドア基盤２の任意の基準点を基準点Ｋとする。基準点Ｋおよび曲がり開始点Ｙの間の長さをフィルム１のうち径方向外側（すなわち、吹出開口部側）１ａに沿って測られる長さをＬａとし、基準点Ａおよびドア基盤２の円周方向の端部Ｚの間の長さをフィルム１の径方向内側（すなわち、ドア基盤２側）１ｂに沿って測られる長さをＬｂとする。
【０００９】
ドア基盤２は、上述の如く、円弧状に形成されているので、長さＬａは、長さＬｂよりも長くなる。このため、フィルム１には、長さＬａ、Ｌｂの差を小さくする弾性力が生じる。これにより、時間の経過に伴い、フィルム１の弾性力によって、曲がり開始点Ｙが径方向内側に変位するようにフィルム１が変形する。このため、曲がり開始点Ｙの変位は、一意的に確定しない。したがって、フィルム１とケースの内壁との間には、隙間が生じる恐れがある。これにより、フェイス吹出開口部、デフロスタ吹出開口部、およびフット吹出開口部のうちいずれか１つの吹出開口部をドア基盤２で閉じた状態で、前記隙間が起因して、フィルム１が前記いずれか１つの吹出開口部を密閉できなくなるシール不良が生じる恐れがある。つまり、フィルム１のうち曲がり開始点の変位が起因して吹出開口部（開口部）の密閉を損なう恐れがある。
【００１０】
本発明は上記点に鑑みて、フィルムのうち曲がり開始点の変位が起因して開口部の密閉性を損なうことを未然に抑制するようにしたドア、およびこれを用いた空調装置を提供することを目的とする。
【課題を解決するための手段】
【００１１】
上記目的を達成するため、請求項１に記載の発明では、開口部（２１ｂ、２１ｃ、２１ｄ）を有するケース（２１）内に配置され、板状に形成され、かつ変位によって開口部を開閉するドア基盤（２５１、２５２）と、
ケース内に配置され、ドア基盤のうち開口部側に沿うように配置されて、かつドア基盤が開口部を閉じた状態で開口部を密閉するフィルム（２５４、２５５）と、
ドア基盤のうち板面方向の端部（Ｚ１、Ｚ２）から開口部側に突起するように形成されている突起部（３０ａ〜３０ｄ）と、を備え、
フィルムは、ドア基盤のうち開口部側から突起部に巻き付けられてドア基盤のうち開口部の反対側に折り曲がっていることを特徴とする。
【００１２】
ここで、ドア基盤の板面方向とは、ドア基盤が拡がる面方向のことである。フィルムのうち開口部側においてドア基盤のうち開口部側から開口部の反対側に折り曲がることが開始される位置を曲がり開始点とする。さらに、ドア基盤の任意の基準位置（Ｋ）および曲がり開始点（Ｙ１、Ｙ２）の間でフィルムの吹出開口部側に沿って測られる長さを外側経路長とする。ドア基盤の任意の基準位置（Ｋ）からドア基盤の板面方向の端部（Ｚ１、Ｚ２）を経由して突起部の先端側（Ｚ３、Ｚ４）迄の間をフィルムのうちドア基盤側に沿って測られる長さを内側経路長とする。
【００１３】
請求項１に記載の発明によれば、突起部がドア基盤のうち板面方向の端部（Ｚ１、Ｚ２）から開口部側に突起するように形成されている。そして、フィルムはドア基盤のうち開口部側から突起部に巻き付けられてドア基盤のうち開口部の反対側に折り曲がっている。このため、上記外側経路長と上記内側経路長とを近づけることができる。したがって、フィルムの弾性力によって曲がり開始点が変位することを抑制することができる。このため、ケースとフィルムとの間に隙間が生じることを抑制することができる。これにより、フィルムのうち曲がり開始点の変位が起因して開口部の密閉性を損なうことを未然に抑制することができる。
【００１４】
具体的には、請求項４に記載の発明では、ドア基盤のうち円周方向一方側の端部（Ｚ１）から開口部側に突起するように形成されている突起部としての第１の突起部（３０ａ、３０ｃ）を備え、
フィルムは、第１の突起部に巻き付けられてドア基盤のうち開口部の反対側に折り曲がっており、
フィルムにおいてドア基盤のうち開口部側から開口部の反対側に折り曲がることが開始される位置を第１の曲がり開始点（Ｙ１）とし、
ドア基盤のうち任意の基準位置（Ｋ）および第１の曲がり開始点の間でフィルムのうち開口部側に沿うように測られる長さを第１長さ（Ｌ１）とし、
ドア基盤のうち基準位置およびドア基盤のうち円周方向一方側の端部（Ｚ１）の間でドア基盤のうち開口部側に沿って測られる長さを第２長さ（ＬＡ）とし、  ドア基盤のうち円周方向一方側の端部（Ｚ１）および第１の突起部の先端側（Ｚ３）の間で、第１の突起部の円周方向他方側の側面（５０ａ）に沿って測られる長さを第３長さ（Ｊ１ａ）とし、
第２長さ（ＬＡ）と第３長さ（Ｊ１ａ）とを加算した長さ（ＬＡ＋Ｊ１ａ）が第１長さ（Ｌ１）と同一になるように第１の突起部が形成されていることを特徴とする。
【００１５】
以上により、第２長さ（ＬＡ）と第３長さ（Ｊ１ａ）とを加算した長さ（ＬＡ＋Ｊ１ａ）が第１長さ（Ｌ１）と同一になるように第１の突起部が形成されている。このため、「ドア基盤の任意の基準位置（Ｋ）からドア基盤の板面方向一方側の端部（Ｚ１）を経由して第１の突起部の先端側（Ｚ３）迄の間をフィルムのうちドア基盤側に沿って測られる第７の長さ」と、上記第１の長さとを一致させることができる。したがって、フィルムの弾性力によって第１の曲がり開始点が変位することを抑制することができる。このため、請求項１に記載の発明と同様の効果が得られる。
【００１６】
なお、上記第１長さが上記外側経路長であり、第７の長さが上記内側経路長である。
【００１７】
請求項７に記載の発明では、ドア基盤のうち円周方向他方側の端部（Ｚ２）から開口部側に突起するように形成されている突起部としての第２の突起部（３０ｂ、３０ｄ）を備え、
フィルムは、第２の突起部に巻き付けられてドア基盤のうち開口部の反対側に折り曲がっており、
フィルムにおいてドア基盤のうち開口部側から開口部の反対側に折り曲がることが開始される位置を第２の曲がり開始点（Ｙ２）とし、
ドア基盤のうち任意の基準位置（Ｋ）および第２の曲がり開始点の間でフィルムのうち開口部側に沿うように測られる長さを第４長さ（Ｌ３）とし、
ドア基盤のうち基準位置およびドア基盤のうち円周方向他方側の端部（Ｚ２）の間でドア基盤のうち開口部側に沿って測られる長さを第５長さ（ＬＢ）とし、
ドア基盤のうち円周方向他方側の端部（Ｚ２）および第２の突起部の先端側（Ｚ４）の間で、第２の突起部の円周方向一方側の側面（５０ｂ）に沿って測られる長さを第６長さ（Ｊ１ｂ）とし、
第５長さ（ＬＢ）と第６長さ（Ｊ１ｂ）とを加算した長さ（ＬＢ＋Ｊ１ｂ）が第４長さ（Ｌ３）と同一になるように第２の突起部が形成されていることを特徴とする。
【００１８】
以上により、第５長さ（ＬＢ）と第６長さ（Ｊ１ｂ）とを加算した長さ（ＬＢ＋Ｊ１ｂ）が第４長さ（Ｌ３）と同一になるように第２の突起部が形成されている。このため、「ドア基盤の任意の基準位置（Ｋ）からドア基盤の板面方向他方側の端部（Ｚ２）を経由して第２の突起部の先端側（Ｚ４）迄の間をフィルムのうちドア基盤側に沿って測られる第８の長さ」と上記第４長さとを一致させることができる。したがって、フィルムの弾性力によって第２の曲がり開始点が変位することを抑制することができる。このため、請求項１に記載の発明と同様の効果が得られる。
【００１９】
なお、上記第４長さが上記外側経路長であり、第８の長さが上記内側経路長である。
【００２０】
請求項１１に記載の発明では、空調装置において、請求項１ないし１０のいずれか１つに記載のドア（２５）を備え、ケースの開口部は、室内に空気を吹き出す吹出開口部（２１ｂ、２１ｃ、２１ｄ）であり、ドア基盤が吹出開口部を開けた状態で吹出開口部から室内に吹き出される空気によって室内を空調することを特徴とする。
【００２１】
これによれば、空調装置を構成する吹出開口部の密閉性を損なうことを未然に抑制することができる。
【００２２】
なお、この欄および特許請求の範囲で記載した各手段の括弧内の符号は、後述する実施形態に記載の具体的手段との対応関係を示すものである。
【図面の簡単な説明】
【００２３】
【図１】本発明の一実施形態における車両用空調装置の概略構成を示す図である。
【図２】図１中モードドアを示す斜視図である。
【図３】図１中モードドアを示す断面図である。
【図４】図１中モードドアの突起部を示す断面図である。
【図５】図１中の部分拡大図である。
【図６】図１中のモードドアの寸法関係を示す模式図である。
【図７】図１中のモードドアの寸法関係を示す模式図である。
【図８】図１中のモードドアの作動状態を示す断面図である。
【図９】図１中のモードドアの作動状態を示す断面図である。
【図１０】図１中のモードドアの作動状態を示す断面図である。
【図１１】図１中のモードドアの作動状態を示す断面図である。
【図１２】図１中のモードドアの作動状態を示す断面図である。
【図１３】本発明の他の実施形態におけるモードドアのドア基盤の突起部を示す断面図である。
【図１４】比較例におけるモードドアのドア基盤の突起部を示す断面図である。
【図１５】図１４中のフィルム単体を示す断面図である。
【発明を実施するための形態】
【００２４】
以下、本発明の実施形態について図に基づいて説明する。図１に本発明に係る車両用空調装置の一実施形態を示す。図１は車両用空調装置の概略構成を示す図である。図１において上下左右の各矢印は、車両用空調装置が車両に搭載された状態での向きを示す。
【００２５】
車両用空調装置は、空調ユニット２０を備える。空調ユニット２０は、ケース２１、冷房用熱交換器２２、暖房用熱交換器２３、エアミックスドア２４、およびモードドア２５を備える。ケース２１のうち車両進行方向前側には、空気導入口２１ａが設けられている。空気導入口２１ａには、送風機から吹き出される空気が導入される。送風機は、空調ユニット２０に対して車両左右方向（車幅方向）に配置されている。
【００２６】
冷房用熱交換器２２は、ケース２１のうち空気導入口２１ａの車両進行方向後側に配置されている。冷房用熱交換器２２は、圧縮機、コンデンサ、膨張弁とともに、冷媒を循環させる周知の冷凍サイクル装置を構成し、冷媒を蒸発させることにより、空気導入口２１ａ内に導入された空気を冷却する。
【００２７】
暖房用熱交換器２３は、ケース２１のうち冷房用熱交換器２２に対して、車両進行方向後側に配置され、冷房用熱交換器２２から吹き出される冷風をエンジン冷却水（温水）により加熱する。ケース２１のうち暖房用熱交換器２３に対して車両進行方向後側には、暖房用熱交換器２３から吹き出される温風を空気混合室２７に導く温風通路２６ａが形成されている。
【００２８】
ケース２１のうち暖房用熱交換器２３に対して天地方向上側には、バイパス通路２６が設けられている。バイパス通路２６は、冷房用熱交換器２２からの冷風を暖房用熱交換器２３をバイパスして空気混合室２７に流す通路である。
【００２９】
エアミックスドア２４は、暖房用熱交換器２３の上側に配置されている。エアミックスドア２４は、その断面が略円弧状になるように形成されている。エアミックスドア２４は、ケース２１により回転自在になるように支持されている。
【００３０】
エアミックスドア２４は、その位置によって、バイパス通路２６の開口面積と温風通路２６ａの開口面積との比率を変える。このことにより、エアミックスドア２４は、バイパス通路２６を流れる空気量と温風通路２６ａを流れる空気量との比率を調整することにより、車室内に吹き出す空気温度を調整することができる。なお、図１は、エアミックスドア２４が温風通路２６ａを全閉して、かつバイパス通路２６を全開したマックスクール状態を示している。
【００３１】
空気混合室２７は、ケース２１のうちバイパス通路２６の上側で、かつ暖房用熱交換器２３の上側に配置されて、バイパス通路２６を通過した冷風（矢印Ｅ参照）と、暖房用熱交換器２３から温風通路２６ａを通過した温風（矢印Ｄ参照）とを混合する。
【００３２】
モードドア２５は、ケース２１のうち空気混合室２７の上側に、配置されている。モードドア２５は、回転軸２５ａ（図２参照）により、ケース２１に対して回転自在に支持されている。モードドア２５は、例えば、電動モータ（図示省略）により駆動される。
【００３３】
ケース２１のうちモードドア２５に対して径方向外側には、ケース周壁部２１０が設けられている。ケース周壁部２１０は、回転軸２５ａを中心とする断面円弧状に形成されている。
【００３４】
ケース周壁部２１０には、デフロスタ吹出開口部２１ｂ、フェイス吹出開口部２１ｃ、およびフット吹出開口部２１ｄが設けられている。以下、デフロスタ吹出開口部２１ｂ、フェイス吹出開口部２１ｃ、およびフット吹出開口部２１ｄを総称して吹出開口部２１ｂ、２１ｃ、２１ｄとする。吹出開口部２１ｂ、２１ｃ、２１ｄは、回転軸２５ａ、２５ｂを中心とする円周方向に並べられている。以下、回転軸２５ａ、２５ｂを中心とする円周方向を単に円周方向という。
【００３５】
本実施形態では、フェイス吹出開口部２１ｃは、デフロスタ吹出開口部２１ｂに対して円周方向一方側に配置されている。フット吹出開口部２１ｄは、フェイス吹出開口部２１ｃに対して円周方向一方側に配置されている。
【００３６】
フェイス吹出開口部２１ｃは、車室内の乗員の上半身に向けて空調風を吹き出す吹出開口部であり、フット吹出開口部２１ｄ部は、乗員の下半身に向けて空調風を吹き出す吹出開口部であり、デフロスタ吹出開口部２１ｂは、車室内の窓ガラスの内表面に向けて空調風を吹き出す吹出開口部である。
【００３７】
モードドア２５は、回転に伴って、吹出開口部２１ｂ、２１ｃ、２１ｄのうちいずれかの吹出開口部に対して空気混合室２７からの混合風を流す。本実施形態のモードドア２５は、略筒状に形成されているロータリドアを構成している。
【００３８】
次に、本実施形態のモードドア２５の具体的な構造について図１、図２、図３を参照して説明する。図２はモードドア２５の斜視図である。図１、図３はモードドア２５を軸線方向の一方側から視た断面図である。
【００３９】
モードドア２５は、図１、図２に示すように、ドア側壁２５０ａ、２５０ｂ（図２中２５０ａのみ示す）、ドア基盤２５１、２５２、ドア開口部２５３、２５６、およびフィルム２５４、２５５を備えている。
【００４０】
ドア側壁２５０ａ、２５０ｂは、それぞれ円板状に形成されて、車幅方向（図１中紙面垂直方向）間隔を開けて配置されている。ドア側壁２５０ａ、２５０ｂのそれぞれには、回転軸２５ａが配置されている。回転軸２５ａは、ドア側壁２５０ａ、２５０ｂからそれぞれ外側（すなわち、車両幅方向）に突出するように形成されている。
【００４１】
ドア基盤２５１、２５２は、それぞれ、図２、図３に示すように、回転軸２５ａを中心とする円周方向に延びる板状に形成されている。すなわち、ドア基盤２５１、２５２は、回転軸２５ａを中心とする断面円弧状に形成されている。円周方向は、ドア基盤２５１、２５２の板面方向を示している。板面方向は、ドア基盤２５１、２５２が拡がる面方向である。
【００４２】
ドア基盤２５１、２５２は、回転軸２５ａを中心とする円周方向に間隔を開けて配置されている。ドア基盤２５１は、ドア基盤２５２に対して円周方向一方側に配置されている。ドア開口部２５３、２５６は、それぞれドア基盤２５１とドア基盤２５２との間に形成されている。ドア開口部２５３は、ドア基盤２５２に対して円周方向一方側に形成されている。ドア開口部２５６は、ドア基盤２５１に対して円周方向一方側に形成されている。
【００４３】
フィルム２５４は、ドア基盤２５１を回転軸２５ａを中心とする径方向外側から覆うように形成されている。フィルム２５４は、ドア基盤２５１に貼り付けられている。フィルム２５５は、ドア基盤２５２を回転軸２５ａを中心とする径方向外側から覆うように形成されている。フィルム２５５は、ドア基盤２５２に貼り付けられている。本実施形態のフィルム２５４、２５５は、ウレタン等の弾性力を有する樹脂製のフィルムである。
【００４４】
以下、モードドア２５の構造の詳細について図２〜図５を参照して説明する。
【００４５】
モードドア２５は、図３に示すように、突起部３０ａ、３０ｂ、３０ｃ、３０ｄを備える。突起部３０ａは、ドア基盤２５１の外周側のうち円周方向一方側の端部Ｚ１から軸線方向に亘って外周側（すなわち、吹出開口部２１ｂ、２１ｃ、２１ｄ側）に突起するように形成されている。軸線方向は、回転軸２５ａの軸線方向である。
【００４６】
突起部３０ｂは、ドア基盤２５１の外周側のうち円周方向他方側の端部Ｚ２から軸線方向に亘って外周側に突起するように形成されている。ここで、外周側とは、回転軸２５ａ、２５ｂを中心とする径方向外側のことである。内周側とは、回転軸２５ａ、２５ｂを中心とする径方向内側のことである。
【００４７】
図４（ａ）に突起部３０ａの部分拡大図を示す。突起部３０ａのうち円周方向他方側３１ａは、円周方向一方側に凸となる断面円弧状に形成されている。突起部３０ａのうち円周方向他方側３１ａは、ドア基盤２５１の外周側のうち円周方向一方側の端部Ｚ１と突起部３０ａの先端側Ｚ３との間の部分を意味している。
突起部３０ａのうち円周方向一方側３１ｂは、円周方向一方側に凸となる断面円弧状に形成されている。
【００４８】
図４（ｂ）に突起部３０ｂの部分拡大図を示す。突起部３０ｂのうち円周方向一方側３１ｃは、円周方向他方側に凸となる断面円弧状に形成されている。突起部３０ｂのうち円周方向一方側３１ｃは、ドア基盤２５１の外周側のうち円周方向他方側の端部Ｚ２と突起部３０ｂの先端側Ｚ４との間の部分を意味している。突起部３０ｂのうち円周方向他方側３１ｄは、その円周方向他方側に凸となる断面円弧状に形成されている。
【００４９】
図５にドア基盤２５１およびフィルム２５４を示す。図６にドア基盤２５１およびフィルム２５４の円周方向一方側の寸法関係を示す。図６は、符号等の図示を明確にするために、ハッチングを省略している。
【００５０】
フィルム２５４のうち円周方向中間部は、図５に示すように、ドア基盤２５１に対して外周側に沿うように配置されている。フィルム２５４のうち円周方向一方側は、弾性変形により突起部３０ａに巻き付けられてドア基盤２５１の外周側からドア基盤２５１の内周側に折り曲げられている。すなわち、フィルム２５４のうち円周方向一方側の端部は、ドア基盤２５１の内周側に配置されている。
【００５１】
フィルム２５４のうち円周方向他方側は、弾性変形により突起部３０ｂに巻き付けられてドア基盤２５１の外周側からドア基盤２５１の内周側に折り曲げられている。すなわち、フィルム２５４のうち円周方向他方側の端部は、ドア基盤２５１の内周側に配置されている。
【００５２】
ここで、フィルム２５４の外周側の円周方向一方側において、ドア基盤２５１の外周側からドア基盤２５１の内周側に折り曲がることが開始される位置を曲がり開始点Ｙ１（図５参照）とする。
【００５３】
本実施形態では、ドア基盤２５１の外周側において、円周方向一方側端部Ｚ１および円周方向他方側端部Ｚ２の間の中間位置をドア基盤２５１の任意の基準位置Ｋ（図５参照）とする。
【００５４】
ドア基盤２５１の任意の基準位置Ｋおよびドア基盤２５１の円周方向一方側の端部Ｚ１の間でドア基盤２５１の外周側に沿うように測られる長さを長さＬＡ（第２長さ：図６参照）する。
【００５５】
ドア基盤２５１の基準位置Ｋおよびフィルム２５４の外周側の位置Ｘ１の間でフィルム２５４の外周側に沿って測られる長さを長さＬ２（図６参照）とし、長さＬ２が長さＬＡと同一になるように位置Ｘ１を設定する。そして、位置Ｘ１および曲がり開始点Ｙ１の間でフィルム２５４の外周側に沿って測られる長さを長さＪ２ａとする。
【００５６】
ドア基盤２５１の円周方向一方側の端部Ｚ１および突起部３０ａの先端側Ｚ３の間で突起部３０ａのうち円周方向他方側の側面５０ａに沿うように測られる長さを長さＪ１ａ（第３長さ）する。そして、長さＪ１ａと長さＪ２ａとが同一になるように突起部３０ａが形成されている。
【００５７】
すなわち、ドア基盤２５１のうち任意の基準位置Ｋおよび曲がり開始点Ｙ１の間でフィルム２５４のうち外周側に沿うように測られる長さを長さＬ１（外側経路長：第１長さ）とすると、長さＬＡと長さＪ１ａとを足した長さ（ＬＡ＋Ｊ１ａ）が長さＬ１と同一になるように突起部３０ａが形成されることになる。
【００５８】
以上により、フィルム２５４のうち任意の基準位置Ｋから一方側端部Ｚ１を経由して突起部３０ａの先端側Ｚ３までの間をフィルム２５４の内周面側に沿うように測られる長さを長さＬＸ（内側経路長）とすると、この長さＬＸと長さＬ１とを一致させることができる。
【００５９】
なお、本実施形態では、フィルム２５４の内周側で円周方向一方側端部を端部Ｗ１とすると、フィルム２５４のうち曲がり開始点Ｙ１とフィルム２５４の端部Ｗ１との間の長さを短くし、長さＪ１ａを長くする形状になっている。
【００６０】
次に、フィルム２５４の円周方向他方側について図７を参照して説明する。図７にドア基盤２５１およびフィルム２５４の円周方向他方側の寸法関係を示す。図７は、符号等の図示を明確にするために、ハッチングを省略している。
【００６１】
フィルム２５４の外周側の円周方向他方側において、ドア基盤２５１の外周側からドア基盤２５１の内周側に折り曲がることが開始される位置を曲がり開始点Ｙ２（図５、図７参照）とする。
【００６２】
ドア基盤２５１の任意の基準位置Ｋおよびドア基盤２５１の円周方向他方側の端部Ｚ２の間でドア基盤２５１の外周側に沿うように測られる長さを長さＬＢ（第５長さ）する。
【００６３】
ドア基盤２５１の基準位置Ｋおよびフィルム２５４の外周側の位置Ｘ２の間でフィルム２５４の外周側に沿って測られる長さを長さＬ４とし、長さＬ４が長さＬＢと同一になるように位置Ｘ２を設定する。そして、位置Ｘ２および曲がり開始点Ｙ２の間でフィルム２５４の外周側に沿って測られる長さを長さＪ２ｂとする。
【００６４】
ドア基盤２５１の円周方向他方側の端部Ｚ２および突起部３０ｂの先端側Ｚ４の間で突起部３０ｂのうち円周方向一方側の側面５０ｂに沿うように測られる長さを長さＪ１ｂ（第６長さ）する。そして、長さＪ１ｂと長さＪ２ｂとが同一になるように突起部３０ｂが形成されている。
【００６５】
すなわち、ドア基盤２５１のうち任意の基準位置Ｋおよび曲がり開始点Ｙ２の間でフィルム２５４のうち外周側に沿うように測られる長さを長さＬ３（外側経路長、第４長さ）とすると、長さＬＢと長さＪ１ｂとを足した長さ（ＬＢ＋Ｊ１ｂ）が長さＬ３と同一になるように突起部３０ｂが形成されることになる。
【００６６】
以上により、フィルム２５４のうち任意の基準位置Ｋから他方側端部Ｚ２を経由して突起部３０ｂの先端側Ｚ４までの間をフィルム２５４の内周面側に沿うように測られる長さを長さＬＹ（内側経路長）とすると、この長さＬＹと長さＬ３とを一致させることができる。
【００６７】
このように、突起部３０ａ、３０ｂの形状および寸法は、ドア基盤２５２の寸法およびフィルム２５５の寸法によって決まる。
【００６８】
本実施形態の突起部３０ｃは、ドア基盤２５２のうち円周方向一方側から外周側（すなわち、吹出開口部２１ｂ、２１ｃ、２１ｄ側）に突起するように形成されている。突起部３０ｄは、ドア基盤２５２のうち円周方向他方側から外周側（すなわち、吹出開口部２１ｂ、２１ｃ、２１ｄ側）に突起するように形成されている。
【００６９】
ここで、突起部３０ｃ、３０ｄの形状および寸法は、突起部３０ａ、３０ｂと同様に、ドア基盤２５１の寸法およびフィルム２５４の寸法によって決まる。このため、突起部３０ｃ、３０ｄの形状および寸法は、ドア基盤２５１の寸法、およびフィルム２５４の寸法の説明は省略する。
【００７０】
なお、突起部３０ｃは、突起部３０ａに対応し、突起部３０ｄは、突起部３０ｂに対応し、ドア基盤２５２は、ドア基盤２５１に対応し、フィルム２５５は、フィルム２５４に対応している。
【００７１】
なお、本実施形態対では、ケース２１、およびモードドア２５は、ある程度弾性を有し、かつ強度的にも優れた樹脂材料からなる。
【００７２】
次に、本実施形態のモードドア２５の具体的な作動について説明する。図８〜図１２はそれぞれモードドア２５の作動状態を示している。図８〜図１２では、
冷房用熱交換器２２、暖房用熱交換器２３、およびエアミックスドア２４の図示を省略している。
【００７３】
まず、図８に示すフェイスモードでは、ドア基盤２５２がデフロスタ吹出開口部２１ｂを閉じて、かつドア基盤２５１がフット吹出開口部２１ｄを閉じている状態になる。
【００７４】
これにより、フィルム２５５がケース周壁部２１０のうちデフロスタ吹出開口部２１ｂの周囲とドア基盤２５１との間を密着させる。このため、デフロスタ吹出開口部２１ｂが密閉した状態になる。フィルム２５４がケース周壁部２１０のうちフット吹出開口部２１ｄの周囲とドア基盤２５１との間を密着させる。このため、フット吹出開口部２１ｄが密閉した状態になる。
【００７５】
このとき、ドア開口部２５３がフェイス吹出開口部２１ｃに連通する。このため、フェイス吹出開口部２１ｃが開口する。このとき、バイパス通路２６からドア開口部２５６を通して導入された冷風と温風通路２６ａからドア開口部２５６を通して導入された温風とが空気混合室２７で混合される。そして、この混合された空気がドア開口部２５３を通してフェイス吹出開口部２１ｃに流れる。
【００７６】
以上により、フェイスモードでは、デフロスタ吹出開口部２１ｂが密閉し、かつフット吹出開口部２１ｄが密閉した状態になる。
【００７７】
次に、モードドア２５が時計方向に回転（すなわち、変位）すると、図９に示すバイレベルモードになる。このバイレベルモードでは、ドア基盤２５２がデフロスタ吹出開口部２１ｂを閉じた状態で、ドア開口部２５３がフェイス吹出開口部２１ｃとフット吹出開口部２１ｄとにそれぞれ連通した状態になる。
【００７８】
このとき、フェイス吹出開口部２１ｃとフット吹出開口部２１ｄとがそれぞれ開口する。このため、フィルム２５５が上述のフェイスモードと同様にデフロスタ吹出開口部２１ｂを密閉した状態で、空気混合室２７から吹き出される空気がドア開口部２５３からフェイス吹出開口部２１ｃとフット吹出開口部２１ｄとに流れる。
【００７９】
次に、モードドア２５が時計方向に回転すると、図１０に示すフットモードになる。このフットモードでは、ドア基盤２５２がデフロスタ吹出開口部２１ｂおよびフェイス吹出開口部２１ｃをそれぞれ閉じ、さらにドア開口部２５３がフット吹出開口部２１ｄに連通した状態になる。
【００８０】
この場合、フット吹出開口部２１ｄが開口して、空気混合室２７から吹き出される空気がドア開口部２５３からフット吹出開口部２１ｄに流れる。
【００８１】
また、フィルム２５５がケース周壁部２１０のうちフェイス吹出開口部２１ｃの周囲とドア基盤２５２との間を密着し、かつケース周壁部２１０のうちデフロスタ吹出開口部２１ｂの周囲とドア基盤２５１との間を密着する。このため、デフロスタ吹出開口部２１ｂおよびフェイス吹出開口部２１ｃが密閉した状態になる。
【００８２】
次に、モードドア２５が時計方向に回転すると、図１１に示すようにフット−デフモードになる。フット−デフモードでは、フィルム２５５がフェイス吹出開口部２１ｃを密閉した状態で、空気混合室２７から吹き出される空気がドア開口部２５３からフット吹出開口部２１ｄに流れる。さらに、空気混合室２７から吹き出される空気がドア開口部２５６からデフロスタ吹出開口部２１ｂに流れる。
【００８３】
次に、モードドア２５が時計方向に回転すると、図１２に示すようにデフロスタモードになる。このデフロスタモードでは、ドア基盤２５２がフェイス吹出開口部２１ｃとフット吹出開口部２１ｄとをそれぞれ閉じている。さらにドア開口部２５６がデフロスタ吹出開口部２１ｂに連通した状態になる。
【００８４】
このとき、デフロスタ吹出開口部２１ｂが開口して、フィルム２５５がケース周壁部２１０のうちフェイス吹出開口部２１ｃの周囲とドア基盤２５２との間を密着し、かつケース周壁部２１０のうちフット吹出開口部２１ｄの周囲とドア基盤２５２との間を密着する。これにより、フェイス吹出開口部２１ｃおよびフット吹出開口部２１ｄが密閉された状態になる。この場合、空気混合室２７から吹き出される空気がドア開口部２５６からデフロスタ吹出開口部２１ｂに流れる。
【００８５】
以上説明した本実施形態によれば、モードドア２５は、ドア基盤２５１（２５２）のうち板面方向の端部Ｚ１、Ｚ２から外周方向に突起するように形成されている突起部３０ａ、３０ｂ（３０ｃ、３０ｄ）を備える。フィルム２５４（２５５）は、ドア基盤２５１、２５２のうち外周側に沿うとともに、弾性変形により突起部３０ａ、３０ｂ（３０ｃ、３０ｄ）に巻き付けられてドア基盤２５１（２５２）のうち内周側に折り曲げられていることを特徴とする。
【００８６】
ここで、ドア基盤２５１（２５２）のうち任意の基準位置Ｋおよび曲がり開始点Ｙ１の間でフィルム２５４（２５５）のうち外周側に沿うように測られる長さを長さＬ１とすると、長さＬＡと長さＪ１ａとを足した長さ（ＬＡ＋Ｊ１ａ）が長さＬ１と同一になるように突起部３０ａ（３０ｃ）が形成される。したがって、フィルム２５４（２５５）のうち任意の基準位置Ｋから一方側端部Ｚ１を経由して突起部３０ａ（３０ｃ）の先端側Ｚ３までの間をフィルム２５４（２５５）の内周面側に沿うように測られる長さＬＸ（内側経路長）と、長さＬ１（外側経路長）とを一致させることができる。
【００８７】
また、ドア基盤２５１（２５２）のうち任意の基準位置Ｋおよび曲がり開始点Ｙ２の間でフィルム２５４（２５５）のうち外周側に沿うように測られる長さを長さＬ３とすると、長さＬＢと長さＪ１ｂとを足した長さ（ＬＢ＋Ｊ１ｂ）が長さＬ３と同一になるように突起部３０ｂ（３０ｄ）が形成されることになる。よって、フィルム２５４（２５５）のうち任意の基準位置Ｋから他方側端部Ｚ２を経由して突起部３０ｂ（３０ｄ）の先端側Ｚ４までの間をフィルム２５４（２５５）の内周面側に沿うように測られる長さＬＹ（内側経路長）と、長さＬ３（外側経路長）とを一致させることができる。
【００８８】
以上により、フィルム２５４（２５５）の弾性力によって曲がり開始点Ｙ１、Ｙ２が変位することを抑制することができる。このため、ケース周壁部２１０とフィルム２５４（２５５）との間に隙間が生じることを抑制することができる。これにより、フィルム２５４（２５５）のうち曲がり開始点Ｙ１、Ｙ２の変位が起因して吹出開口部２１ｂ、２１ｃ、２１ｄの密閉性を損なうシール不良が生じることを未然に抑制することができる。
【００８９】
本実施形態では、上述の如く、フィルム２５４（２５５）のうち曲がり開始点Ｙ１、Ｙ２が変位することを抑制することができる。このため、突起部３０ａ〜３０ｄの形状や突起部３０ａ〜３０ｄの角度によって曲がり開始点Ｙ１、Ｙ２を任意の位置に設定することができる。突起部３０ａ〜３０ｄの角度は、ドア基盤２５１（２５２）の板面方向に対して、突起部３０ａ〜３０ｄが突出する方向が成す角度である。
【００９０】
（他の実施形態）
上記実施形態では、本発明の空調装置を車両用空調装置に適用した例について説明したが、これに代えて、本発明の空調装置を車両用空調装置以外の空調装置（住宅用空調装置、ビル用空調装置、船舶用空調装置、飛行機用空調装置）に適用してもよい。
【００９１】
上記実施形態では、本発明のドアを車両用空調装置に適用した例について説明したが、これに代えて、本発明のドアを車両用空調装置以外の他の機器に適用してもよい。
【００９２】
上記実施形態では、本発明のドアをロータリドアとした例について説明したが、これに代えて、本発明のドアをロータリドア以外の板ドア等としてもよい。或いは、本発明のドアとしては、スライド可能に支持されているスライドドアであってもよい。
【００９３】
上記実施形態では、本発明のドア基盤を円弧状に形成したものを用いた例について説明したが、これに代えて、円弧状以外の形状であるドア基盤を用いてもよい。
【００９４】
上記実施形態では、ドア基盤２５１の外周側において、円周方向一方側端部Ｚ１および円周方向他方側端部Ｚ２の間の中間位置をドア基盤２５１の基準位置Ｋとした例について説明したが、これに代えて、ドア基盤２５１の外周側において前記中間位置以外の位置を基準位置Ｋとしてもよい。
【００９５】
例えば、突起部３０ａの形状を設定する場合には、ドア基盤２５１の外周側において円周方向他方側の端部Ｚ２を基準位置Ｋとしてもよい。そして、突起部３０ｂの形状を設定する場合には、ドア基盤２５１の外周側において円周方向一方側の端部Ｚ１を基準位置Ｋとしてもよい。
【００９６】
上記実施形態では、本発明のドアとして、吹出開口部２１ｂ、２１ｃ、２１ｄを開閉するモードドアとした例に説明したが、これに代えて、モードドア以外のドア（例えば、エアミックスドア、内外気切替ドア）を本発明のドアとしてもよい。
【００９７】
上記実施形態では、長さＬＡと長さＪ１ａとを加算した長さ（ＬＡ＋Ｊ１ａ）が長さＬ１と同一になるように突起部３０ａが形成した例について説明したが、これに代えて、長さ（ＬＡ＋Ｊ１ａ）と長さＬ１とを近づけるように設定するのであれば、長さ（ＬＡ＋Ｊ１ａ）と長さＬ１とが一致しないように突起部３０ａを形成してもよい。
【００９８】
同様に、長さ（ＬＢ＋Ｊ１ｂ）と長さＬ３とを近づけるように設定するのであれば、長さＬＢと長さＪ１ｂとを加算した長さ（ＬＢ＋Ｊ１ｂ）と長さＬ３とが一致しないように突起部３０ｂを形成してもよい。
【００９９】
本発明の実施する際に、突起部３０ａ〜３０ｄの形状を次の（ａ）、（ｂ）、（ｃ）のようにしてもよい。
【０１００】
（ａ）図１３（ａ）に示すように、突起部３０ａは、径方向外側（すなわち、吹出開口部側）で、かつドア基盤２５１の円周方向に対する直交方向に、ドア基盤２５１の円周方向一方側の端部Ｚ１から突起するように形成されている。突起部３０ｂ、３０ｃ、３０ｄは、突起部３０ａと同様である。
（ｂ）図１３（ｂ）に示すように、突起部３０ａは、その円周方向の他方側３２ａの断面が、円周方向の他方側に凸となる断面円弧状に形成されている。円周方向は、ドア基盤２５１の板面方向である。突起部３０ｃも突起部３０ａと同様である。
（ｃ）図１３（ｃ）に示すように、突起部３０ｂは、その円周方向の一方側３２ｂの断面が円周方向一方側に凸となる断面円弧状に形成されている。突起部３０ｄも突起部３０ｂと同様である。
【０１０１】
上記実施形態では、本発明に係るモードドア２５を電動モータにより駆動した例について説明したが、これに代えて、使用者が操作スイッチを操作した操作力により本発明に係るモードドア２５を回転駆動するようにしてもよい。
【０１０２】
なお、本発明は上記した実施形態に限定されるものではなく、特許請求の範囲に記載した範囲内において適宜変更が可能である。
【符号の説明】
【０１０３】
２１      ケース
２１ｂ    デフロスタ吹出開口部（吹出開口部、吹出開口部）
２１ｃ    フェイス吹出開口部（吹出開口部、吹出開口部）
２１ｄ    フット吹出開口部（吹出開口部、吹出開口部）
２５      モードドア（ロータリドア）
２６      バイパス通路（空気流路）
２６ａ    温風通路（空気流路）
２５１、２５２    ドア基盤
２５４、２５５    フィルム
３０ａ、３０ｂ、３０ｃ，３０ｄ    突起部
【図１】
0006256226.tif 000002
【図２】
0006256226.tif 000003
【図３】
0006256226.tif 000004
【図４】
0006256226.tif 000005
【図５】
0006256226.tif 000006
【図６】
0006256226.tif 000007
【図７】
0006256226.tif 000008
【図８】
0006256226.tif 000009
【図９】
0006256226.tif 000010
【図１０】
0006256226.tif 000011
【図１１】
0006256226.tif 000012
【図１２】
0006256226.tif 000013
【図１３】
0006256226.tif 000014
【図１４】
0006256226.tif 000015
【図１５】
0006256226.tif 000016